(57)【要約】【課題】  光学測定、光通信の分野において、Ｎ個の光信号特性変換条件の切替え選択を行うため、入力から出力に至る信号搬送光路中に、光スイッチを用いてＮ個の選択光路を提供し所望の光信号特性変換をすること。【解決手段】  １個の光信号入力を光スイッチによりＮ個の選択光路に分岐し、Ｎ個の選択光路は光スイッチにより１個の光信号として出力する光スイッチング回路であって、Ｎ個の選択光路上に、光信号特性変換する機器が少なくとも一箇所以上挿入され、光スイッチの制御によるＮ個の光信号特性変換条件の選択が可能である装置。【選択図】      図１
2006067444.tif 000002
【特許請求の範囲】
【請求項１】
１個の入力光信号を光スイッチによりＮ個の選択光路に導く光信号選択分岐セクション
と、選択分岐されたＮ個の光路出口の少なくとも一箇所以上に光信号の特性を変換する機
器を設けた光信号特性変換セクションと、光信号の特性が変換されたＮ個の出力を光スイ
ッチにより１個の光信号出力口へ導く光信号選択出力セクションからなることを特徴とす
る光信号特性選択装置。
【請求項２】
光信号の特性を変換する機器は、光信号の強度減衰や強度増幅、偏光変化、波長選択、
波長変換、波形鈍化、波形整形、変調、多重化、遅延等の機能を持つことを特徴とする請
求項１に記載の光信号特性選択装置。
【請求項３】
光路切替え用の光スイッチ最小単位が、１×２光スイッチである事を特徴とする請求項
１に記載の光信号特性選択装置。
【請求項４】
光路切替え用の１×２光スイッチが、２個連動する２×４光スイッチで構成されている
ことを特徴とする請求項１に記載の光信号特性選択装置。
【請求項５】
光路切替え用の光スイッチが、光路自己保持型であることを特徴とする請求項１および
３，４に記載の光信号特性選択装置。
【請求項６】
光路切替え操作が手元および／もしくは遠隔操作によって行なわれることを特徴とする
請求項１に記載の光信号特性選択装置。
【発明の詳細な説明】
【技術分野】
【０００１】
本発明は、光ファイバーなどを用いる光学測定、光通信の分野における、光信号特性選
択装置に関する。
【背景技術】
【０００２】
光学測定、光通信の分野においては、複数の光信号強度や、信号の伝達状態などの状態
を人為的に複数段階作り出すことが、次項で述べる理由等で、実験的にも商用的にも必要
となることがある。
【０００３】
例えば、光強度センサーの特性の測定では、入力信号の光強度を複数段階に変化させて
、光強度センサーの出力観測を行ったり、また、光通信では、光ファイバー内を伝播する
デジタル信号の波形劣化状態と受信機側での再生能力を評価するために、デジタル信号の
波形劣化具合を複数段階に変化させて、その信号受信および再生状態を観察したりするこ
とがある。
【０００４】
これら測定においては、一つの被測定物に複数条件の入力を与えることが必要である。
その場合、必要な数だけの信号源を準備し、繋ぎ替えたりもしくは連続的に光信号の状態
を変化させることのできる機器を、光信号源と被測定物の間に挿入する方法を用いるのが
一般的である。
【０００５】
例えば、図８に従来の測定方法を示すように、（Ａ）（Ｂ）（Ｃ）の３個の光信号強度
が必要とされる場合には、信号源２０ａ，２０ｂ，２０ｃと３個の信号源を用意し、必要
時に被測定物１４に接続してモニター２１で測定を行っている。信号源信号源２０ａ，２
０ｂ，２０ｃと被測定物１４の接続は、被測定物１４の光コネクター２９に、信号源信号
源の光コネクター２８ａ、２８ｂ、２８ｃを都度、繋ぎ替えて処理するのが一般的である
。
【０００６】
一つの信号源で信号強度を変化させる方法を図９に示す。信号源２０と可変型光信号強
度減衰器２２、被測測定物１４、モニター２１を接続する。信号源２０から出た一定強度
の光を、可変型光信号強度減衰器２２を調整することで、信号強度を変化させながらモニ
ター２１で測定を行っている。
【０００７】
昨今のインターネット利用人口の爆発的な増大と通信データの大容量化に対応するため
、通信回線は光ファイバー化が進み、末端の住宅各戸まで光ファイバーが敷設されるよう
になってきている。光ファイバーの敷設工事では、敷設後の光ファイバーの光伝送能力に
問題が無いか確認するため、実際に光信号を通しての確認作業を行う。この確認作業の一
例の概念図を図１０に示す。被測定物１４である敷設光ファイバーの上流入口に光信号源
２０と信号強度減衰器２２、下流出口に信号強度を測定するモニタ−２１が用意される。
確認作業では複数条件の光信号強度源が必要となるため、入口と出口において各々の作業
者１７，１８が会話回線１５を使って同期を取りながら、作業者１７が信号強度減衰器２
２を調整し光信号の強度の変更と、作業者１８が測定を行なっている。作業者１７側には
、光信号源２０と複数条件の光信号強度を作り出す可変型の信号強度減衰器２２の他に、
図示はしていないが可変型信号強度減衰器を制御するシステムや電源、光強度確認用の測
定器などが必要である。これら装置を接続する光ファイバーも随所に敷かれるため、広い
作業場所が必要である。
【発明の開示】
【発明が解決しようとする課題】
【０００８】
複数条件数の信号源を準備することは、経済的負担が大きい。さらに、被測定物への毎
時の繋ぎ替え作業に時間がかかること、また接続点での光特性の変化により安定した信号
供給が得られない難点があったうえ、設定条件変更の汎用性にも欠けていた。これらから
、低コストで信号特性が安定し、かつ切替え時間の短い複数状態の信号供給方法が望まれ
ていた。
【０００９】
連続的に光信号の状態を変化させることのできる変換器を用いることで、条件設定は汎
用性を持ち、被測定物への繋ぎ替えも作業も無くすことができる。しかし、各条件の設定
毎に信号状態の調整と確認が必要であり、その運用は面倒であった。これらのことから、
簡単に複数の光信号特性を得られる装置が望まれていた。さらに、連続的に信号の状態を
変化させることのできる変換器では、一つの状態を維持するために、現状態の検知とその
フィードバックによる維持制御電気回路が必要であり、制御には常に電気の供給が必要な
ため、連続的に信号の状態を変化させない一条件の測定に限っても、電気の供給無くして
は用いることは出来ない不便さがあった。
【００１０】
図１０に示したように、光ファイバーの敷設工事後の確認作業では、長距離離れた被測
定物１４である敷設光ファイバーの両端で、複数の作業者１７，１８が会話回線１５を使
って連絡を取り合いながら、光信号強度等の特性を変化させ切替える作業は効率が悪かっ
た。また、機材の準備や設置、調整、現場では接続用の光ファイバーをに引き回すことが
必要なため、広い作業場所の確保が必要であった。しかし、必ずしも全ての現場で作業に
必要な床面積を確保出来る訳ではなかった。
【課題を解決するための手段】
【００１１】
本発明の光信号特性選択装置は、１個の光信号入力を光スイッチにより、Ｎ個の選択光
路に導く光信号選択分岐セクションと、選択分岐されたＮ個の光路出口の少なくとも一箇
所以上に、光信号の特性を変換する機器を設けた光信号特性変換セクションと、光信号の
特性が変換されたＮ個の出力を光スイッチにより、１個の光信号出力口へ導く光信号選択
出力セクションからなり、一つの光信号源から必要複数の光信号特性を作り出し、被測定
物に繋いだ後は単に光路の選択を行なうのみで所望の光信号を被測定物に供給し、モニタ
ーで被測定物から出た光信号をモニターすることが望ましい。
【００１２】
光スイッチを用いると光路切替えは１０ｍｓｅｃ以下の高速で行うことができるので、
光路状態の再現性を高くできる。光スイッチを用いることで安定した信号を、簡単に短時
間で複数条件の光信号を切替え被測定物へ供給することができる。また、光スイッチを用
いることで、低コストな光信号特性選択装置を実現できる。光信号選択分岐セクションを
構成する光スイッチを、機械式自己保持型とすることで、一度光路を選択することで、そ
の光路は外部からのエネルギーの供給が無くとも、光路は常に接続されているため、再接
続や光路の再設定を行わずとも使えるものであり、利便性が向上する。
【００１３】
光信号選択分岐セクションと光信号選択出力セクションを構成する光スイッチは、１×
ｎ光路切替えスイッチを用いることもできる。しかし、ｎが大きくなると、光路変更駆動
時間や光路接続の状態が安定するまでに時間がかかることから、１×ｎの光路切替えスイ
ッチは切替え最小単位として１×２スイッチを使うことが望ましい。この場合、光路変更
は１×ｎを構成する複数の１×２スイッチは同時に駆動することから、光路切替えに要す
る時間は１×２スイッチ一個を駆動させる時間と同じとすることができる。１×２スイッ
チを、１×２スイッチと同一サイズのパッケージに２個収納し、その２個が連動して駆動
する２×４光スイッチを用いれば、光回路の実装面積も抑えられるためより良いものであ
る。
【００１４】
１×２、１×ｎ光スイッチについて、説明する。１×２光スイッチは一つの入力光ａを
ｂもしくはｃ方向に出力させるものである。１×ｎ光スイッチは一つの入力光ａをｂから
ｎ方向のいずれかに出力させるものである。１×ｎ光スイッチは、１×２光スイッチを多
段に組合せることで形成することもできる。これらの光スイッチの使い方で入力と出力を
逆にして、ｂもしくはｃの光をａに導くこともできる。この場合、２×１光スイッチと呼
称する方が正しいのかも知れないが、光スイッチの入力と出力を入れ換えただけで、光ス
イッチ本体は何ら変わらないため、本明細書では１×２光スイッチと称している。１×ｎ
、２×４光スイッチも同様である。ただし、光スイッチの構造、構成等によっては、入力
側と出力側を入れ替えることはできず、入力側は入力で出力側は出力と決まっているもの
もある。本発明で用いる光スイッチは、入力側と出力側を変更できるものである。また、
光ファイバーやミラーを機械的に駆動し光路を切り替え、切替えられた状態を保持できる
機械式自己保持型光スイッチを用いることが好ましい。
【００１５】
本発明の光信号特性選択装置の光信号特性変換セクションは、光信号の強度減衰や強度
増幅、偏光変化、波長選択、波長変換、波形鈍化、波形整形、変調、多重化、遅延等の機
能を持つ光信号特性変換機器で構成することが好ましい。光信号特性選択装置に、複数種
の光信号特性変換機器を組込むことも可能である。光信号の強度減衰は、減衰率が固定さ
れている場合は、減衰率を可変できるような高価な光減衰器を用いずに、光スイッチを接
続する際に、光ファイバー融着接続で光ファイバーコアの中心軸をずらして接合する、オ
フセット融着をすることによって生じる光強度損失を用いることもできる。同様に、光ス
イッチが駆動した際に光ファイバーの対向位置をずらして光強度損失を生じさせることも
できる。しかし、本方法は、光スイッチを特別に作る必要があるため、余り好ましい方法
ではないが、本発明の光信号特性選択装置を多数製造する場合には採用できる方式となる
。
【００１６】
光信号選択分岐セクションと光信号選択出力セクションを構成する部位と、光信号特性
変換セクション部位を分けて、それぞれ個別の装置とすることもできる。しかし、本発明
の光信号特性選択装置のように、光信号選択分岐セクションと光信号選択出力セクション
、光信号特性変換セクションを同一のケースに納めることが、取り扱いの観点から望まし
い。一つのケースに収められた光信号特性選択装置は、光信号選択分岐セクションと光信
号選択出力セクション、光信号特性変換セクション間は光ファイバーで既に接続されてい
るので、従来のように接続用光ファイバーは必要としないことから、広い作業場所の確保
を必要とせず、作業場所の制約が小さくなり、敷設工事の計画、施工の利便性が広がるも
のである。
【００１７】
本発明の光信号特性選択装置は、光信号選択分岐セクションと光信号特性変換セクショ
ン、光信号選択出力セクションからなり、光信号選択分岐セクションと光信号選択出力セ
クションで用いられる光スイッチを駆動して、作業者である光路選択者がどの光路に切替
えるかを指示する、手元および／もしくは遠隔操作による切替え手段を持つことが望まし
い。手元および／もしくは遠隔操作の意味は、手元と遠隔操作の両方と、手元もしくは遠
隔操作のいずれかの三つの状況を表わしているものである。
【００１８】
本発明の光信号特性選択装置を用いると、光ファイバーの敷設工事後の確認作業におい
て、複数の作業者が適時連絡を取りながら作業したとしても、装置に搭載された切替え手
段を選択するのみであり、光信号特性の調整時間等が掛からず作業の効率化が図れる。さ
らに、遠隔操作による光路切替えを行うと、一人の作業者によって光信号の選択を行なう
ことができ、光ファイバー敷設工事後の確認作業の効率化を、より一層図ることができる
。
【発明の効果】
【００１９】
本発明の光信号特性選択装置を用いることで、低コストで簡単に複数条件の光信号を被
測定物へ供給することができる。光信号特性選択装置を用いることで、作業場所の確保も
容易になり、作業員の減員や作業効率の向上が図れる。
【発明を実施するための最良の形態】
【００２０】
以下、図面を用いて本発明の実施の形態を詳細に説明する。説明を判り易くするため、
同一の部品、部位には同じ符号を用いている。
【実施例１】
【００２１】
図１は、３個の光信号強度状態を供給する光信号特性選択装置の構成概念図である。本
実施形態の光信号特性選択装置１は、光信号の入力ポート８と光信号の出力ポート９を各
一つ持っている。光信号源２０から入力ポート８に供給された光信号は、１×２光スイッ
チ２ａ，２ｂにより構成される１個の入力を３個に選択分岐する光信号選択分岐セクショ
ン２に入る。光信号選択分岐セクション２から出た３光路は各光路上に設けられた光信号
高強度を減衰させる減衰器３ａ，３ｂ，３ｃからなる光信号特性変換セクション３に接続
される。光信号特性変換セクション３から出た光信号は１×２光スイッチ４ａ，４ｂによ
り構成され、３個の光路を１個の出力に選択する光信号選択出力セクション４を通って出
力ポート９、モニター２１に出力される。
【００２２】
光スイッチ２ａ，２ｂ，４ａ，４ｂは、図示していないが光スイッチ駆動回路により任
意の順番で光路が切替えられ、減衰器５ａ，５ｂ，５ｃに接続される３個の光路を選択す
ることができる。本願の装置を用いることで、光信号源２０と被測定物１４との接続を、
光信号条件の変更毎に取り外す必要が無いことから作業が容易となった。また、光信号の
安定度は、光スイッチの光路切替え性能で決まるため、安定した複数の光信号強度を供給
することができた。
【００２３】
実施例１で示した、光信号選択分岐セクション２で３個の光路に分岐し、光信号選択出
力セクション４で３個の光路を１個の出力に選択する接続方法は一例であり、同型スイッ
チを同数用いて異なる接続方法を用いることもできる。光信号選択分岐セクション２と光
信号選択出力セクション４で、光スイッチの接続方法が異なっても構わないものである。
また、減衰器は固定式のもの、あるいは微小の範囲で調整可能な半固定式のものを用いる
こともできる。
【実施例２】
【００２４】
図２は第２の実施例で、実施例１の光信号特性変換セクション３の減衰器３ａ，３ｂ，
３ｃを、光ファイバーのオフセット融着接続点３ａ’，３ｂ’，３ｃ’で置き換えたもの
である。オフセット融着接続点では、光ファイバーのコアの中心軸がずらされて融着接合
されており、コアの中心軸のずれで生じる光強度損失で光信号を減衰させている。光ファ
イバーのコアの中心軸をずらす量で光の減衰量（率）を調整することができる。オフセッ
ト融着接続点で所定の減衰量を得るため、光信号強度を測定しながらオフセット融着作業
を行った。減衰率は３ａ’，３ｂ’，３ｃ’で異なるようにしている。オフセット融着で
光の減衰量を設定しているため減衰量は固定されるが、実施例１のような減衰器を用いる
必要がないため、光信号特性選択装置を小型、安価にすることができた。
【実施例３】
【００２５】
図３は、本発明の第３の実施形態であり、３個の異なった光信号劣化状態を供給する光
信号特性選択装置の構成概念図である。本実施形態の光信号特性選択装置１は、光信号の
入力ポート８と光信号の出力ポート９を各一つ持ち、光信号選択分岐セクション２と光信
号特性変換セクション３、光信号選択出力セクション４から構成される。入力ポート８に
供給された光信号は、１×２光スイッチ２ａ，２ｂにより構成される１個の入力を、３個
に選択分岐する光信号選択分岐セクション２に入る。光信号選択分岐セクション２で３個
に選択分岐された光路上に、デジタル伝送される光信号を劣化させる信号処理器５ａ，５
ｂ，５ｃからなる光信号特性変換セクション３が設けられる。１×２光スイッチ４ａ，４
ｂにより構成される３個の光路を、１個の出力に選択する光信号選択出力セクション４を
通って選択出力される。図示は省略しているが光スイッチの駆動回路により任意の順番で
光路が高速に切替えられ、３個の光路を選択することができた。本発明の光信号特性選択
装置１を用いることで、信号条件が変更されても、光ファイバーコネクターの接続替えを
する必要が無いため、光スイッチの光路切替え性能で決まる光信号の安定度で、複数の劣
化デジタル信号を供給することができた。
【実施例４】
【００２６】
図４は、本発明の第４の実施形態であり、３個の２×４光スイッチを用い、４個の光信
号強度状態を供給する光信号特性選択装置の構成概念図である。本実施形態の光信号特性
選択装置１は、光信号の入力ポート８と光信号の出力ポート９を各一つ持つ。光信号の入
力ポート８に供給された光信号は、光信号選択分岐セクション６を構成する、２×４光ス
イッチ６７の内の１×２スイッチ６ａと、２×４光スイッチ６ｂにより１個の入力を４個
に選択分岐する。４個の選択光路上に光信号高強度を、減衰させる減衰器３ａ，３ｂ，３
ｃ，３ｄからなる光信号特性変換セクション３が設けられている。光信号特性変換セクシ
ョン３から出た光信号は、２×４光スイッチ７ａと２×４光スイッチ６７の内の１×２ス
イッチ７ｂで、４個の光路を１個の出力に選択する光信号選択出力セクション７を構成し
、出力ポート９通って被測定物１４を経由しモニター２１に出力された。光スイッチは図
示していない駆動回路により、任意の順番で光路が高速に切替えられ、４個の光路を選択
することができた。
【００２７】
本実施形態の４個の光路接続を行う光スイッチは、１×２光スイッチが２個連動する構
造の２×４光スイッチである。図４で、２×４光スイッチ６７は、６ａと７ｂに相当する
１×２光スイッチ２個に置き換えることができることは容易に理解できる。しかし、１×
２光スイッチ２個と２×４光スイッチ２個の合計４個使用するより、２×４光スイッチ３
個を使う方が、光スイッチの総額を下げることができるのと、光スイッチ駆動制御回路も
減らすことができるため、更に製造価格を下げることができる。勿論、６ｂ，７ａの２×
４光スイッチを、各々２個の１×２光スイッチに置き換えることも可能であるが、光信号
特性選択装置の製造価格の上昇と小型化に不利であった。
【実施例５】
【００２８】
図５は、本発明の第５の実施形態であり、３個の２×４光スイッチを用い、２個の光信
号強度状態と２個の光信号劣化状態を供給する光信号特性選択装置の構成概念図である。
判り易く言うと、実施例４の減衰器の一部を信号処理器に置き換えたものである。本実施
形態の光信号特性選択装置１は、光信号の入力ポート８と光信号の出力ポート９を各一つ
持つ。光信号の入力ポート８に供給された光信号は、光信号選択分岐セクション６を構成
する、２×４光スイッチ６７の内の１×２スイッチ６ａと、２×４光スイッチ６ｂにより
１個の入力を４個に選択分岐する。２個の選択光路上に光信号高強度を減衰させる減衰器
３ａ，３ｂ、他の２個の選択光路上に光信号を劣化させる信号処理器５ａ，５ｂからなる
、光信号特性変換セクション３が設けられている。光信号特性変換セクション３から出た
光信号は、２×４光スイッチ７ａと２×４光スイッチ６７の内の１×２スイッチ７ｂで、
４個の光路を１個の出力に選択する光信号選択出力セクション７を構成し、出力ポート９
通って被測定物１４を経由しモニター２１に出力された。光スイッチは図示していない駆
動回路により、任意の順番で光路が高速に切替えられ、４個の光路を選択することで光信
号強度状態と光信号劣化状態を測定することができた。
【００２９】
本実施例では、４個に分岐された光路に２個の減衰器と２個の信号処理器を設けたが、
光スイッチの数を増やし分岐数を１６個にし、４個の減衰器と４個の信号処理器、４個の
４個の偏光変化器、４個の波長変換器を有する光信号特性選択装置も実施した。構成等は
、図５から類推することが出来るので図示は省略しています。２個の減衰器と２個の信号
処理器を組込んだものに比べ、光信号特性選択装置本体は大きくせざるを得なかったが、
一台の光信号特性選択装置で４種類の光信号特性を変換させながら測定でき、利便性は大
幅に向上した。分岐数、光信号の特性を変換する機器の種類および台数は、測定する特性
に合わせ設定することで、光信号特性選択装置の利便性をより上げられることが判った。
【実施例６】
【００３０】
図６は３個の光信号強度状態を供給し、遠隔操作が可能な光信号特性選択装置１’の構
成概念図である。光信号の入力ポート８と光信号の出力ポート９、光信号源２０、光信号
選択分岐セクション２、光信号特性変換セクション３、光信号選択出力セクション４、被
測定物１４、モニター２１に関する部分は実施例１と同一である。本実施例は、光信号特
性選択装置の光路切替え、言い換えると光スイッチの駆動を遠隔操作するため、光スイッ
チ駆動および位置検出回路１０と、手元操作光路切替えおよび光路状態表示回路１１、遠
隔操作光路切替え回路１２、遠隔操作インターフェイス部１３を、付加したものである。
光スイッチ駆動および位置検出回路１０は、光スイッチを駆動しその光路状態位置を検出
するものである。手元操作光路切替えおよび光路状態表示回路１１は、光信号特性選択装
置の手元において光路切替えの指示と光路状態を告知するものである。遠隔操作光路切替
え回路１２は、光信号特性選択装置から離れた場所で光路切替えの指示と光路状態を得る
ものである。
【００３１】
手元操作光路切替えおよび光路状態表示回路１１には、図示していないが、光路選択ボ
タンスイッチと光路状態を示すランプが搭載されている。作業者である光路選択者は光路
選択ボタンスイッチを押すことで、容易に光路を切替えられるとともに、光路状態をラン
プの点灯で確認することができる。遠隔操作光路切替え回路１３には、光スイッチを駆動
しその光路状態位置を検出する光スイッチ駆動および位置検出回路１０に、切替え命令と
光路状態の取得の他に装置全体を監視し遠隔へ情報を送り出すサーバーの機能を搭載した
。サーバーは固有のＩＰアドレスを持つ様に設計し、これと合わせて遠隔操作インターフ
ェイス部１３を１００ＢＡＳＥ−Ｔ  ＬＡＮインターフェイスとした。このＬＡＮインタ
ーフェイス部を用いて、本発明の
遠隔操作が可能な光信号特性選択装置１’をインターネ
ット接続し、遠隔からの操作をすることができた。
【００３２】
なお、遠隔操作インターフェイス部１３は前述のＬＡＮインターフェイスに限定される
ものではなく、ＲＳ２３２Ｃ、ＩＥＥＥ１３９４、ＵＳＢ接続など有線、無線問わず各種
インターフェイスを用いることができた。光信号特性選択装置は、これらのインターフェ
イスを複数搭載することで、装置自体の価格は上がるがインターフェイスの選択範囲が広
がったため、使い勝手が非常に良くなったことは確認されている。
【実施例７】
【００３３】
図７は、実施例５で説明した遠隔操作が可能な光信号特性選択装置１’を用いた、光フ
ァイバーの敷設工事後の確認作業方法を説明するものである。光ファイバーの敷設工事後
の確認作業は、従来は図１０で説明したように、被測定物１４である敷設光ファイバーの
一方に光信号源２０と信号強度減衰器２２、それらを操作する作業者、もう一方にはモニ
ター２１と作業者が必要であった。二人の作業者は連絡を取り合い作業を進める必要があ
った。本発明の遠隔操作が可能な光信号特性選択装置１’を用いると、作業者１８は長距
離離れた敷設光ファイバー１４の光信号源２０側に設置した光信号特性選択装１’を遠隔
通信回線に繋がれた遠隔操作装置３０を操作し、光信号選択分岐セクションと光信号特性
変換セクション、光信号選択出力セクションを切り替えることで、敷設工事後の確認作業
に必要な光信号が被測定物１４である敷設光ファイバー経由でモニター２１に送られる。
作業者はモニター２１から得られた測定値で、敷設された光ファイバーの状態を把握する
ことができる。敷設工事後の確認作業を行う場合、光信号源２０と遠隔操作が可能な光信
号特性選択装置１’を被測定物１４である敷設光ファイバーに接続してしまえば、作業者
はその場に居る必要はなく、モニター２１側に居る作業者一人で作業ができた。
【００３４】
以上実施例に掲げ説明した機能、形態を盛り込んだ本発明の光信号特性選択装置１，１
’の大きさは、幅２５０ｍｍ、高さ９０ｍｍ、奥行き３００ｍｍ程度である。従来の単独
の機器を組合わせた場合に比べ、光ファイバーの取り回し等が大幅に減ったため、１／１
０程度の床面積となっており、作業場所を選ぶことなく敷設工事後の確認作業を実施する
ことができるようになった。
【００３５】
本発明の光信号特性選択装置の実施形態について詳細に述べてきたが、光路接続方法や
光信号特性変換方法、条件数Ｎはこれらに限定されるものではない。また、光スイッチと
して１×２、２×４を混在して使用しても構わず、その他実用上高速切替えと判断できる
光路切替え光スイッチを用いても構わない。光信号の特性を変換する機器は、光信号の強
度減衰、強度増幅、偏光変化、波長選択、波長変換、波形鈍化、波形整形、変調、多重化
、遅延の機能を持つ各種方法を用いることができることは言うまでも無い。
【産業上の利用可能性】
【００３６】
本発明の光信号特性選択装置は、光ファイバーなどを用いる光学測定、光通信の分野に
おいて、その計測システムの簡便化として利用できる。また、通信インフラの整備におい
て、工期短縮、人員削減などコスト削減に寄与する。
【図面の簡単な説明】
【００３７】
【図１】本発明の実施例１の光信号特性選択装置の構成概念図である。
【図２】本発明の実施例２の光信号特性選択装置の構成概念図である。
【図３】本発明の実施例３の光信号特性選択装置の構成概念図である。
【図４】本発明の実施例４の光信号特性選択装置の構成概念図である。
【図５】本発明の実施例５の光信号特性選択装置の構成概念図である。
【図６】本発明の実施例６の遠隔操作が可能な光信号特性選択装置の構成概念図である。
【図７】本発明の実施例７の遠隔操作が可能な光信号特性選択装置を用いた確認作業の概念図である。
【図８】従来の測定方法の概念図である。
【図９】一つの信号源で信号強度を変化させる方法の概念図である。
【図１０】確認作業の一例を示す概念図である。
【符号の説明】
【００３８】
１  光信号特性選択装置、１’  遠隔操作が可能な光信号特性選択装置、
２  光信号選択分岐セクション、２ａ，２ｂ  １×２光スイッチ、
３ａ，３ｂ，３ｃ，３ｄ  光信号強度減衰器、
３ａ’，３ｂ’，３ｃ’オフセット融着接続点、４  光信号選択出力セクション、
４ａ，４ｂ  １×２光スイッチ、
５ａ，５ｂ，５ｃ  光信号波形劣化装置、６  光信号選択分岐セクション、
６ａ，６ｂ  ２×４光スイッチ、７  光信号選択出力セクション、
７ａ，７ｂ  ２×４光スイッチ、８  入力ポート、９  出力ポート、
１０  光スイッチ駆動および位置検出回路、
１１  手元操作光路切替えおよび光路状態表示回路、
１２  遠隔操作光路切替え回路、１３  遠隔操作インターフェイス部、１４  被測定物、
１５  会話回線、１６  遠隔通信回線、１７，１８  作業者、
２０，２０ａ，２０ｂ，２０ｃ  光信号源、２１  モニター、
２２  可変型の光信号強度減衰器または光信号波形劣化装置、
２８Ａ，２８Ｂ，２８Ｃ，２９  光コネクター、３０  遠隔操作装置、
６７  ２×４光スイッチ。
【図１】
2006067444.tif 000003
【図２】
2006067444.tif 000004
【図３】
2006067444.tif 000005
【図４】
2006067444.tif 000006
【図５】
2006067444.tif 000007
【図６】
2006067444.tif 000008
【図７】
2006067444.tif 000009
【図８】
2006067444.tif 000010
【図９】
2006067444.tif 000011
【図１０】
2006067444.tif 000012